(57)【要約】【課題】ユーザ端末において複数のチャネル状態情報が生成される場合であっても、チャネル状態情報を適切にフィードバックすること。【解決手段】複数の無線基地局と協調マルチポイント送受信可能に構成されたユーザ端末であって、各無線基地局から送信されるチャネル状態測定用参照信号を用いて複数種類のチャネル状態情報を生成する生成部と、複数種類のチャネル状態情報の中からフィードバックする所定のチャネル状態情報を選択する選択部と、所定のチャネル状態情報を上り制御チャネルを介して無線基地局にフィードバックする送信部とを設け、選択部が、少なくとも各チャネル状態情報に対応するチャネル状態測定用参照信号のリソースインデックスに設定される優先度に基づいて、所定のチャネル状態情報を選択する。【選択図】図７
2014007669.tif 000002
【特許請求の範囲】
【請求項１】
複数の無線基地局と協調マルチポイント送受信可能に構成されたユーザ端末であって、
各無線基地局から送信されるチャネル状態測定用参照信号を用いて複数種類のチャネル状態情報を生成する生成部と、
前記複数種類のチャネル状態情報の中からフィードバックする所定のチャネル状態情報を選択する選択部と、
前記所定のチャネル状態情報を上り制御チャネルを介して無線基地局にフィードバックする送信部と、を有し、
前記選択部は、少なくとも各チャネル状態情報に対応するチャネル状態測定用参照信号のリソースインデックスに設定される優先度に基づいて、前記所定のチャネル状態情報を選択することを特徴とするユーザ端末。
【請求項２】
前記選択部は、前記各チャネル状態情報に対応するチャネル状態測定用参照信号のリソースインデックスとして、少なくとも希望信号推定用のリソース（ＳＭＲ）インデックス及び／又は干渉信号推定用のリソース（ＩＭＲ）インデックスを用いることを特徴とする請求項１に記載のユーザ端末。
【請求項３】
前記選択部は、前記生成部がエミュレーションを適用して前記チャネル状態情報を生成する場合に、前記各チャネル状態情報に対応するチャネル状態測定用参照信号のリソースインデックスとして、エミュレーションに利用したノンゼロパワーのチャネル状態測定用参照信号のインデックス、又は、エミュレーションインデックスとをさらに用いることを特徴とする請求項２に記載のユーザ端末。
【請求項４】
前記選択部は、前記ユーザ端末がキャリアアグリゲーションを適用する場合に、前記希望信号推定用のリソース（ＳＭＲ）インデックス及び／又は前記干渉信号推定用のリソース（ＩＭＲ）インデックスに加えて、セルインデックスをさらに用いることを特徴とする請求項２又は請求項３に記載のユーザ端末。
【請求項５】
前記選択部は、前記複数種類のチャネル状態情報の中から、各チャネル状態情報の上り制御チャネルにおける報告タイプに設定された優先度に基づいて優先度が低いチャネル状態情報を除外した後、前記各チャネル状態情報に対応するチャネル状態測定用参照信号のリソースインデックスに設定された優先度に基づいて前記所定のチャネル状態情報を選択することを特徴とする請求項１から請求項４のいずれかに記載のユーザ端末。
【請求項６】
前記各チャネル状態情報に対応するチャネル状態測定用参照信号のリソースインデックスに関する情報は、報知信号、上位レイヤシグナリング、ＲＲＣシグナリング又は下りリンク制御情報により無線基地局から通知されることを特徴とする請求項１から請求項５のいずれかに記載のユーザ端末。
【請求項７】
前記選択部は、前記各チャネル状態情報に対応するチャネル状態測定用参照信号のリソースインデックスに設定される優先度として、一つ又は複数の希望信号推定用のリソース（ＳＭＲ）インデックスと一つ又は複数の干渉信号推定用のリソース（ＩＭＲ）インデックスとの組み合わせに対して設定される優先度を用いることを特徴とする請求項１に記載のユーザ端末。
【請求項８】
前記選択部は、前記生成部がエミュレーションを適用して前記チャネル状態情報を生成する場合に、前記各チャネル状態情報に対応するチャネル状態測定用参照信号のリソースインデックスに設定される優先度として、希望信号推定用のリソース（ＳＭＲ）インデックス及び／又は干渉信号推定用のリソース（ＩＭＲ）インデックスとエミュレーションに利用したノンゼロパワーのチャネル状態測定用参照信号のインデックスとの組み合わせに対して設定される優先度、又は、希望信号推定用のリソース（ＳＭＲ）インデックスとエミュレーションインデックスとの組み合わせに対して設定される優先度を用いることを特徴とする請求項７に記載のユーザ端末。
【請求項９】
前記選択部は、前記ユーザ端末がキャリアアグリゲーションを適用する場合に、各インデックスの組み合せに対して、さらにセルインデックスを組み合わせることを特徴とする請求項７又は請求項８に記載のユーザ端末。
【請求項１０】
前記各チャネル状態情報に対応するチャネル状態測定用参照信号のリソースインデックスの組み合せに関する情報は、報知信号、上位レイヤシグナリング、ＲＲＣシグナリング又は下りリンク制御情報により無線基地局から通知されることを特徴とする請求項７から請求項９のいずれかに記載のユーザ端末。
【請求項１１】
複数の無線基地局と協調マルチポイント送受信可能に構成されたユーザ端末であって、
各無線基地局から送信されるチャネル状態測定用参照信号を用いて複数種類のチャネル状態情報を生成する生成部と、
複数種類のチャネル状態情報を上り共有チャネルの無線リソースに配置して無線基地局にフィードバックする送信部と、を有し、
前記送信部は、少なくとも各チャネル状態情報に対応するチャネル状態測定用参照信号のリソースインデックスに設定される優先度に基づいて、前記上り共有チャネルに配置する順序を制御することを特徴とするユーザ端末。
【請求項１２】
チャネル状態測定用の参照信号を送信する複数の無線基地局と、前記複数の無線基地局と協調マルチポイント送受信可能に構成されたユーザ端末と、を具備する無線通信システムであって、
前記無線基地局は、チャネル状態測定用参照信号のリソースインデックスに設定される優先度に関する情報を生成する優先度情報生成部と、前記優先度に関する情報を前記ユーザ端末に送信する送信部と、を有し、
前記ユーザ端末は、各無線基地局から送信されるチャネル状態測定用参照信号を用いて、複数種類のチャネル状態情報を生成する生成部と、前記複数種類のチャネル状態情報の中からフィードバックする所定のチャネル状態情報を選択する選択部と、前記所定のチャネル状態情報を上り制御チャネルを介して無線基地局にフィードバックする送信部と、を有し、前記選択部は、前記無線基地局から通知される優先度に関する情報に基づいて、前記所定のチャネル状態情報を選択することを特徴とする無線通信システム。
【請求項１３】
チャネル状態測定用の参照信号を送信する複数の無線基地局と、前記複数の無線基地局と協調マルチポイント送受信可能に構成されたユーザ端末と、の無線通信方法であって、
前記無線基地局は、チャネル状態測定用参照信号のリソースインデックスに設定される優先度に関する情報を生成するステップと、前記優先度に関する情報を前記ユーザ端末に送信するステップと、を有し、
前記ユーザ端末は、各無線基地局から送信されるチャネル状態測定用参照信号を用いて複数種類のチャネル状態情報を生成するステップと、前記複数種類のチャネル状態情報の中からフィードバックする所定のチャネル状態情報を選択するステップと、前記所定のチャネル状態情報を上り制御チャネルを介して無線基地局にフィードバックするステップと、を有し、前記無線基地局から通知される優先度に関する情報に基づいて、前記所定のチャネル状態情報を選択することを特徴とする無線通信方法。
【請求項１４】
他の無線基地局と協調してユーザ端末との間で協調マルチポイント送受信する無線基地局であって、
チャネル状態測定用参照信号のリソースインデックスに設定される優先度に関する情報を生成する優先度情報生成部と、
前記優先度に関する情報を前記ユーザ端末に送信する送信部と、
前記ユーザ端末から上り制御チャネルを介してフィードバックされる所定のチャネル状態情報を受信する受信部と、を有し、
前記ユーザ端末が、前記優先度に関する情報に基づいて複数のチャネル状態情報の中から前記所定のチャネル状態情報を選択してフィードバックすることを特徴とする無線基地局。
【発明の詳細な説明】
【技術分野】
【０００１】
本発明は、次世代移動通信システムにおけるユーザ端末、無線通信システム、無線通信方法及び無線基地局に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という））。
【０００４】
ＬＴＥシステム（例えば、Ｒｅｌ．８）の下りリンクにおいて、セルＩＤに関連づけられたＣＲＳ（Cell-specific  Reference  Signal）が定められている。このＣＲＳは、ユーザデータの復調に用いられる他、スケジューリングや適応制御のための下りリンクのチャネル品質（ＣＱＩ：Channel  Quality  Indicator）測定等に用いられる。一方、ＬＴＥの後継システム（例えば、Ｒｅｌ．１０）の下りリンクにおいては、チャネル状態情報（ＣＳＩ：Channel  State  Information）の測定用の参照信号としてＣＳＩ−ＲＳ（Channel  State  Information-Reference  Signal）が検討されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００７】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。これらのＣｏＭＰ送受信技術の適用により、特にセル端に位置するユーザ端末ＵＥのスループット特性の改善が期待される。
【０００８】
このように、ＬＴＥ−Ａシステムにおいては、１つの送信ポイントからユーザ端末に送信する送信形態に加え、複数の送信ポイントからユーザ端末に送信する送信形態がある。そのため、ユーザ端末において複数の送信ポイント間の干渉等を考慮してチャネル状態を決定し、チャネル状態情報（ＣＳＩ）を無線基地局にフィードバックすることが重要となる。
【０００９】
一方で、ユーザ端末において生成した複数種類のチャネル状態情報を、上り制御チャネル（ＰＵＣＣＨ：Physical  Uplink  Control  Channel）を介して同じタイミングでフィードバックする場合には、複数のチャネル状態情報が衝突（collision）するおそれがある。また、複数種類のチャネル状態情報を、上り共有チャネル（ＰＵＳＣＨ：Physical  Uplink  Shared  Channel）を介して同じタイミングでフィードバックする場合には、複数種類のチャネル状態情報を配置する順序等を決定する必要がある。
【００１０】
本発明はかかる点に鑑みてなされたものであり、ユーザ端末において複数のチャネル状態情報が生成される場合であっても、チャネル状態情報を適切にフィードバックすることができるユーザ端末、無線通信システム、無線通信方法及び無線基地局を提供することを目的とする。
【課題を解決するための手段】
【００１１】
本発明のユーザ端末は、複数の無線基地局と協調マルチポイント送受信可能に構成されたユーザ端末であって、各無線基地局から送信されるチャネル状態測定用参照信号を用いて複数種類のチャネル状態情報を生成する生成部と、前記複数種類のチャネル状態情報の中からフィードバックする所定のチャネル状態情報を選択する選択部と、前記所定のチャネル状態情報を上り制御チャネルを介して無線基地局にフィードバックする送信部と、を有し、前記選択部は、少なくとも各チャネル状態情報に対応するチャネル状態測定用参照信号のリソースインデックスに設定される優先度に基づいて、前記所定のチャネル状態情報を選択することを特徴とする。
【発明の効果】
【００１２】
本発明によれば、ユーザ端末において複数のチャネル状態情報が生成される場合であっても、チャネル状態情報を適切にフィードバックすることができる。
【図面の簡単な説明】
【００１３】
【図１】協調マルチポイント送信を説明するための図である。
【図２】各送信ポイントにおいてＣＳＩ−ＲＳが配置される希望信号推定用リソース（ＳＭＲ）及び干渉信号推定用リソース（ＩＭＲ）のパターンの一例を示す図である。
【図３】複数の送信ポイントから送信されるＣＳＩ−ＲＳが配置されるＳＭＲ及び／又はＩＭＲの配置パターンの一例を示す図である。
【図４】ＰＵＣＣＨ報告タイプを示す図である。
【図５】フィードバックＣＳＩの選択方法（CSI  dropping  and  reporting）の一例を説明する図である。
【図６】第１の態様のＣｏＭＰ適用／ＣＡ非適用時におけるフィードバックＣＳＩの選択方法において優先度が設定される対象を示す図である。
【図７】第１の態様のＣｏＭＰ適用／ＣＡ非適用時におけるフィードバックＣＳＩの選択方法（CSI  dropping  and  reporting）の一例を説明する図である。
【図８】ＣｏＭＰ適用／ＣＡ適用する場合に、各送信ポイントにおいてＣＳＩ−ＲＳが配置されるＳＭＲ及びＩＭＲのパターンの一例を示す図である。
【図９】第１の態様のＣｏＭＰ適用／ＣＡ適用時におけるフィードバックＣＳＩの選択方法において優先度が設定される対象を示す図である。
【図１０】第１の態様のＣｏＭＰ適用／ＣＡ適用時におけるフィードバックＣＳＩの選択方法（CSI  dropping  and  reporting）の一例を説明する図である。
【図１１】第２の態様のＣｏＭＰ適用／ＣＡ非適用時におけるフィードバックＣＳＩの選択方法において優先度が設定される対象を示す図である。
【図１２】第２の態様のＣｏＭＰ適用／ＣＡ非適用時におけるフィードバックＣＳＩの選択方法（CSI  dropping  and  reporting）の一例を説明する図である。
【図１３】第２の態様のＣｏＭＰ適用／ＣＡ非適用時におけるフィードバックＣＳＩの選択方法（CSI  dropping  and  reporting）の他の一例を説明する図である。
【図１４】第２の態様のＣｏＭＰ適用／ＣＡ適用時におけるフィードバックＣＳＩの選択方法（CSI  dropping  and  reporting）の一例を説明する図である。
【図１５】第２の態様のＣｏＭＰ適用／ＣＡ適用時におけるフィードバックＣＳＩの選択方法（CSI  dropping  and  reporting）の他の一例を説明する図である。
【図１６】無線通信システムのシステム構成を説明するための図である。
【図１７】無線基地局の全体構成を説明するための図である。
【図１８】無線基地局のベースバンド処理部に対応した機能ブロック図である。
【図１９】ユーザ端末の全体構成を説明するための図である。
【図２０】ユーザ端末のベースバンド処理部に対応した機能ブロック図である。
【発明を実施するための形態】
【００１４】
以下、本発明の実施の形態について、添付図面を参照して詳細に説明する。
【００１５】
まず、図１を用いて下りリンクの協調マルチポイント（ＣｏＭＰ）送信について説明する。下りリンクのＣｏＭＰ送信としては、Coordinated  Scheduling/Coordinated  Beamforming（ＣＳ／ＣＢ）と、Joint  processingとがある。Coordinated  Scheduling/Coordinated  Beamformingは、１つのユーザ端末ＵＥに対して１つの送受信ポイント（又は、無線基地局、セル）からのみ共有データチャネルを送信する方法であり、図１Ａに示すように、他の送受信ポイントからの干渉や他の送受信ポイントへの干渉を考慮して周波数／空間領域における無線リソースの割り当てを行う。一方、Joint  processingは、プリコーディングを適用して複数の送受信ポイントから同時に共有データチャネルを送信する方法であり、図１Ｂに示すように、１つのユーザ端末ＵＥに対して複数の送受信ポイントから共有データチャネルを送信するJoint  transmissionと、図１Ｃに示すように、瞬時に１つの送受信ポイントを選択し共有データチャネルを送信するDynamic  Point  Selection（ＤＰＳ）とがある。また、干渉となる送受信ポイントに対して一定領域のデータ送信を停止するDynamic  Point  Blanking（ＤＰＢ）という送信形態もある。
【００１６】
ＣｏＭＰ送信は、セル端に存在するユーザ端末のスループットを改善するために適用する。このため、ユーザ端末がセル端に存在する場合にＣｏＭＰ送信を適用するように制御する。この場合、無線基地局で、ユーザ端末からのセル毎の品質情報（例えば、ＲＳＲＰ（Reference  Signal  Received  Power））、又はＲＳＲＱ(Reference  Signal  Received  Quality)、又はＳＩＮＲ（Signal  Interference  plus  Noise  Ratio）等の差を求め、その差が閾値以下である場合、すなわちセル間の品質差が小さい場合には、ユーザ端末がセル端に存在すると判断して、ＣｏＭＰ送信を適用する。
【００１７】
ＣｏＭＰ送信を適用する場合、ユーザ端末は、各送信ポイントから送信されるＣＳＩ−ＲＳに基づいてチャネル状態情報（ＣＳＩ：Channel  State  Information）を生成し、サービングセルの無線基地局にフィードバックする。
【００１８】
ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のＣＳＩの測定に用いられる参照信号である。ＣＳＩ−ＲＳは、全てのサブフレームに割り当てられるＣＲＳ（Cell-specific  Reference  Signal）と異なり、所定周期（例えば、１０サブフレーム周期）で無線リソースに割当てられる。また、ＣＳＩ−ＲＳは、位置、系列および送信電力というパラメータで特定される。ＣＳＩ−ＲＳの位置には、サブフレームオフセット、周期、サブキャリア−シンボルオフセットが含まれる。
【００１９】
なお、ＣＳＩ−ＲＳとしては、ノンゼロパワーＣＳＩ−ＲＳ（ＮＺＰ  ＣＳＩ−ＲＳ）とゼロパワーＣＳＩ−ＲＳ（ＺＰ  ＣＳＩ−ＲＳ）とが定義されている。ノンゼロパワーＣＳＩ−ＲＳは、ＣＳＩ−ＲＳが割り当てられるリソースに送信パワーを分配し、ゼロパワーＣＳＩ−ＲＳは、ＣＳＩ−ＲＳが割り当てられるリソースに送信パワーが分配されない（ＣＳＩ−ＲＳがミュートされる）。
【００２０】
ＣＳＩ−ＲＳは、ＬＴＥで規定される１サブフレームにおいて、下り制御チャネル（ＰＤＣＣＨ：Physical  Downlink  Control  Channel）に割当てられる制御信号、下り共有チャネル（ＰＤＳＣＨ：Physical  Downlink  Shared  Channel）に割当てられるユーザデータ、ＣＲＳやＤＭ−ＲＳ（Demodulation-Reference  Signal）等の他の参照信号と重ならないように割り当てられる。１サブフレームは、周波数方向に連続する１２サブキャリアと、時間軸方向に連続する１４シンボル（１リソースブロックペア）とで構成される。また、ＰＡＰＲを抑制する観点から、ＣＳＩ-ＲＳを割当て可能なリソースは、時間軸方向に隣接する２つのリソースエレメント（ＲＥ：Resource  Element）がセットで割り当てられる。
【００２１】
ＣＳＩ−ＲＳを用いてチャネル状態を算出する場合、他の送信ポイント（他セル）からの干渉の影響を考慮することが重要となる。しかし、ＬＴＥ（Ｒｅｌ．１０）で規定されたＣＳＩ−ＲＳは１リソースブロックにおける密度が低いので、他の送信ポイントからの干渉を高精度に測定できない。そのため、希望信号電力推定に使用するＣＳＩ−ＲＳ（希望信号測定用ＣＳＩ−ＲＳ）と、干渉信号電力推定に使用するＣＳＩ−ＲＳ（干渉推定用参照信号）とを用いて、他の送信ポイントからの干渉を推定することが検討されている（図２参照）。
【００２２】
図２Ａは、ＣｏＭＰセットとなる送信ポイントＴＰ＃１、ＴＰ＃２からユーザ端末ＵＥに下り送信を行う場合の模式図を示している。図２Ｂは、希望信号推定用のＣＳＩ−ＲＳ（ノンゼロパワーのＣＳＩ−ＲＳ）と、干渉信号推定用のＣＳＩ−ＲＳ（ゼロパワーＣＳＩ−ＲＳ）の配置パターンの一例を示している。希望信号推定用のＣＳＩ−ＲＳは、希望信号の推定に用いるリソース（ＳＭＲ：Signal  Measurement  Resource）に割当てられ、干渉信号推定用のＣＳＩ−ＲＳは、干渉信号の測定に用いるリソース（ＩＭＲ：Interference  Measurement  Resource）に割当てられる。また、図２Ｂにおいて、左側のサブフレームは、ＴＰ＃１から送信されるサブフレームを示し、右側のサブフレームは、ＴＰ＃２から送信されるサブフレームを示している。
【００２３】
ユーザ端末は、希望信号推定用リソース（ＳＭＲ）と干渉信号推定用リソース（ＩＭＲ）に基づいてチャネル状態情報（例えば、ＣＱＩ）を生成し、無線基地局にフィードバックする。つまり、ユーザ端末は、各送信ポイントにおける希望信号推定用リソース（ＳＭＲ）と、干渉信号推定用リソース（ＩＭＲ）の配置パターンに応じて、複数種類のＣＳＩを生成することができる。
【００２４】
希望信号推定用リソース（ＳＭＲ）と干渉信号推定用リソース（ＩＭＲ）に関する情報は、例えば、報知信号（Ｐｈｙｓｉｃａｌ  Ｂｒｏａｄｃａｓｔ  Ｃｈａｎｎｅｌを用いて送信されるＭａｓｔｅｒ  Ｉｎｆｏｒｍａｔｉｏｎ  Ｂｌｏｃｋ（ＭＩＢ）、もしくはデータチャネルに多重されるＳｙｓｔｅｍ  Ｉｎｆｏｒｍａｔｉｏｎ  Ｂｌｏｃｋ（ＳＩＢ））で送られてもよいし、上位レイヤシグナリング、ＲＲＣシグナリング、Ｍｅｄｉｕｍ  Ａｃｃｅｓｓ  Ｃｏｎｔｒｏｌ（ＭＡＣ）信号又は下りリンク制御情報により無線基地局からユーザ端末に通知される。
【００２５】
図３に、各送信ポイントに配置される希望信号推定用リソース（ＳＭＲ）及び／又は干渉信号推定用リソース（ＩＭＲ）の配置パターンの一例を示す。なお、図３は、図２における所定シンボル（第８〜第１１）を１リソースブロック分だけ抜き出した場合のＳＭＲとＩＭＲのパターン（ＣＳＩ−ＲＳパターン）の一例を示しており、他の信号（ＣＲＳ、ＤＭＲＳ、ＰＤＳＣＨ等）は省略している。また、以下の説明では、２つの送信ポイント（ＴＰ＃１、ＴＰ＃２）からの送信を例に挙げて説明するが、送信ポイントの数はこれに限られない。
【００２６】
図３Ａは、各送信ポイント（ＴＰ＃１、ＴＰ＃２）において、周波数が異なる領域にそれぞれ希望信号推定用リソースＳＭＲ１、ＳＭＲ２が配置される場合を示している。ユーザ端末は、ＳＭＲ１に基づいてＴＰ＃１からの希望信号強度を測定し、ＳＭＲ２に基づいてＴＰ＃２からの希望信号強度を測定することができる。また、図３Ａでは、干渉信号推定用リソース（ＩＭＲ）が配置されない場合を示している。
【００２７】
図３Ｂは、各送信ポイント（ＴＰ＃１、ＴＰ＃２）において、周波数が異なる領域にそれぞれ希望信号推定用リソースＳＭＲ１、ＳＭＲ２が配置されると共に、複数の干渉信号推定用リソース（ＩＭＲ１〜ＩＭＲ３）が配置される場合を示している。ＩＭＲ１は、ＴＰ＃１から送信される所定リソースのＰＤＳＣＨをゼロパワーとし、ＩＭＲ２は、ＴＰ＃２から送信される所定リソースのＰＤＳＣＨをゼロパワーとし、ＩＭＲ３は、ＴＰ＃１とＴＰ＃２から送信される所定リソースのＰＤＳＣＨをゼロパワーとしている。
【００２８】
ユーザ端末は、ＩＭＲ１に基づいてＴＰ＃１の外側からの干渉を測定し、ＩＭＲ２に基づいてＴＰ＃２の外側からの干渉を測定し、ＩＭＲ３に基づいてＴＰ＃１とＴＰ＃２の外側からの干渉を測定することができる。また、ユーザ端末は、ＳＭＲ１、ＳＭＲ２、ＩＭＲ１〜ＩＭＲ３を用いてＣＳＩを生成し、無線基地局にフィードバックする。
【００２９】
例えば、ユーザ端末は、シングル送信時のＴＰ＃１に対するチャネル品質（ＣＳＩ１）をＳＭＲ１／ＩＭＲ１で算出し、ＴＰ＃２に対するチャネル品質（ＣＳＩ２）をＳＭＲ２／ＩＭＲ２で算出することができる。また、協調（ＣｏＭＰ）送信時のＴＰ＃１に対するチャネル品質（ＣＳＩ３）をＳＭＲ１／ＩＭＲ３で算出し、ＴＰ＃２に対するチャネル品質（ＣＳＩ４）をＳＭＲ２／ＩＭＲ３で算出することができる。このように、ＳＭＲとＩＭＲに基づいて複数種類のチャネル品質を生成することができる。なお、上述したＣＳＩの定義は一例であり、これに限定されない。
【００３０】
図３Ｃは、各送信ポイント（ＴＰ＃１、ＴＰ＃２）において、周波数が異なる領域にそれぞれ希望信号推定用リソースＳＭＲ１、ＳＭＲ２が配置されると共に、周波数が同じ領域に１個の干渉信号推定用リソースＩＭＲ１が配置される場合を示している。ＩＭＲ１は、ＴＰ＃１とＴＰ＃２から送信される所定リソースのＰＤＳＣＨをゼロパワーとしている。
【００３１】
図３Ｃにおいて、ユーザ端末は干渉信号推定用リソースＩＭＲ１に基づいて、ＴＰ＃１とＴＰ＃２の外側からの干渉を測定することができる。一方、図３ＣではＴＰ＃１において個別に干渉信号推定用リソースが配置されていないため、図３Ｂに示すようにＩＭＲのみを用いてＴＰ＃１の外側からの干渉を直接的に測定することができない。この場合、ユーザ端末は、ＳＭＲとＩＭＲを用いて間接的に他の干渉について測定することができる（エミュレーション（ｅｍｕｌａｔｉｏｎ））。以下に、図３Ｃにおいて、ユーザ端末が行うエミュレーションの一例について説明する。
【００３２】
まず、ユーザ端末は、ＳＭＲ１に基づいてＴＰ＃１からの希望信号強度（Ｓ１）を測定し、ＳＭＲ２に基づいてＴＰ＃２からの希望信号強度（Ｓ２）を測定する。また、ＩＭＲ１に基づいて、ＴＰ＃１とＴＰ＃２の外側からの干渉（Ｉｏｕｔ）を測定する。そして、シングルセル送信時のＴＰ＃１の外側からの干渉を、“Ｉｏｕｔ＋Ｓ２”を計算することにより求める。このように、ＳＭＲとＩＭＲを用いて、所定の干渉を求めることをエミュレーション（ＵＥ  ｅｍｕｌａｔｉｏｎ）と呼ぶ。ユーザ端末がエミュレーションを行う場合には、配置するＩＭＲの数を低減することができる。なお、図３Ｃを用いて説明したＵＥ  ｅｍｕｌａｔｉｏｎは一例であり、これに限られない。
【００３３】
ユーザ端末は、ＳＭＲやＩＭＲを用いて複数種類のチャネル状態情報を生成した後、生成したチャネル状態情報を上りリンクを介して無線基地局にフィードバックする。
【００３４】
上りリンクを介してユーザ端末から送信される信号は、適切な無線リソースにマッピングされて無線基地局に送信される。ユーザデータは、上り共有チャネル（ＰＵＳＣＨ）に割り当てられる。また、制御情報は、ユーザデータと同時に送信する場合はＰＵＳＣＨと時間多重され、制御情報のみを送信する場合は、上り制御チャネル（ＰＵＣＣＨ）に割り当てられる。この上りリンクで送信される制御情報には、ＣＳＩや下りリンク共有チャネル（ＰＤＳＣＨ）の信号に対する再送応答信号（ＡＣＫ／ＮＡＣＫ）などが含まれる。
【００３５】
ユーザ端末が、同一又は異なる送信ポイントからのＳＭＲやＩＭＲに基づいて生成した複数種類のチャネル状態情報を、同じタイミングでＰＵＣＣＨを介してフィードバックする場合、ＰＵＣＣＨリソースの容量が小さいため、衝突が生じるおそれがある。そこで、本発明者らは、ユーザ端末が複数のフィードバックチャネル状態情報（ＣＳＩ  ｒｅｐｏｒｔ）を生成した場合に、優先度が高いＣＳＩ  ｒｅｐｏｒｔを選択的にフィードバックすることを着想した。具体的には、複数種類のチャネル状態情報に対してフィードバックする優先度を設定し、優先度が高いチャネル状態情報を選択的にフィードバックすることにより、ＣＳＩの衝突を抑制できることを見出した。
【００３６】
また、本発明者は、フィードバックチャネル状態情報の優先度の決定方法として、キャリアアグリゲーション（ＣＡ：Carrier  Aggregation）適用時におけるフィードバックチャネル状態情報（ＣＳＩ  ｒｅｐｏｒｔ）の選択方法に着目した。
【００３７】
キャリアアグリゲーション（ＣＡ）では、下りリンク伝送において、周波数帯域が異なる複数の基本周波数ブロック（コンポーネントキャリア（ＣＣ：Component  Carrier））が集約されることによりシステム帯域が広帯域化される。一方で、上りリンク伝送においては、シングルキャリア特性を得るために、単一の基本周波数ブロックを用いて上りのデータ伝送を行うことが検討されている。
【００３８】
つまり、各ＣＣに対応するチャネル状態情報を、所定ＣＣのＰＵＣＣＨを介してフィードバックする際、複数のチャネル状態情報が衝突するおそれがある。このため、ＣＡ適用時においては、図４に示すＰＵＣＣＨ報告タイプ（ＰＵＣＣＨ  Ｒｅｐｏｒｔ  Ｔｙｐｅ）と、セルインデックス（ｃｅｌｌ  ｉｎｄｅｘ）に対してそれぞれ優先度を設定し、当該優先度に基づいてフィードバックするＣＳＩを選択することが検討されている。
【００３９】
例えば、チャネル報告タイプの優先度の設定としては、ＲＩの優先度をＰＭＩやＣＱＩより高く設定し、ワイドバンドＣＱＩの優先度をサブバンドＣＳＩより高く設定する。そして、複数種類のチャネル状態情報の中で優先度が低いチャネル状態情報のフィードバックを行わない（優先度が低いチャネル状態情報をドロップ（ｄｒｏｐ）する）。
【００４０】
より具体的には、１つのサービングセルからのＣＳＩに関しては、ＰＵＣＣＨ報告タイプ３、５又は６の優先度を、ＰＵＣＣＨ報告タイプ１、１ａ、２、２ａ、２ｂ、２ｃ又は４より高く設定する。また、複数のサービングセルからのＣＳＩに関しては、ＰＵＣＣＨ報告タイプ３、５、６又は２ａの優先度を、ＰＵＣＣＨ報告タイプ１、１ａ、２、２ｂ、２ｃ又は４より高く設定し、ＰＵＣＣＨ報告タイプ２、２ｂ、２ｃ又は４の優先度をＰＵＣＣＨ報告タイプ１、１ａより高く設定する。
【００４１】
これにより、ユーザ端末において生成された複数種類のＣＳＩの中から、ＰＵＣＣＨ報告タイプの優先度が低いＣＳＩを除外（ドロップ）し、ＰＵＣＣＨ報告タイプの優先度が高いＣＳＩを選択することができる。
【００４２】
ＰＵＣＣＨ報告タイプの優先度が同じＣＳＩに対しては、各ＣＳＩが対応するセルインデックス（ｃｅｌｌ  ｉｎｄｅｘ）に設定された優先度に基づいて、フィードバックするＣＳＩを選択する。例えば、セルインデックスが小さいＣＣに関するＣＳＩの優先度を、セルインデックスが大きいＣＣに関するＣＳＩの優先度より高く設定する場合、ＰＵＣＣＨ報告タイプの優先度が同じＣＳＩの中から、セル番号が大きいＣＣに対応するＣＳＩを除外（ドロップ）する。このように、ＰＵＣＣＨ報告タイプに設定される優先度と、セルインデックスに設定される優先度に基づいて、ＰＵＣＣＨを介してフィードバックするＣＳＩを選択することにより、ＣＳＩの衝突を防止することができる。
【００４３】
しかし、本発明者が検討を行ったところ、キャリアアグリゲーション（ＣＡ）適用時におけるフィードバックチャネル状態情報の選択方法（ＣＳＩ  ｄｒｏｐｐｉｎｇ  ｒｕｌｅｓ）を、協調マルチポイント送信時のＣＳＩフィードバックに適用する場合、ＣＳＩの衝突が発生するおそれがあることを見出した。この場合について、図５を参照して説明する。
【００４４】
図５Ａは、あるサブフレームにおいて、ＣｏＭＰセットとなる２つの送信ポイント（ＴＰ＃１、ＴＰ＃２）からチャネル状態測定用参照信号（希望信号推定用ＣＳＩ−ＲＳ及び干渉信号推定用ＣＳＩ−ＲＳ）が送信される場合を示している。なお、図５Ａは、上記図３Ｂで示したＣＳＩ−ＲＳ配置パターンと同じである。
【００４５】
希望信号推定用ＣＳＩ−ＲＳ（ＮＺＰ  ＣＳＩ−ＲＳ）は、ＴＰ＃１の所定リソースに配置されるＳＭＲ１と、ＴＰ＃２の所定リソースに配置されるＳＭＲ２に割当てられる。また、干渉信号推定用ＣＳＩ−ＲＳ（ＺＰ  ＣＳＩ−ＲＳ）は、ＴＰ＃１の所定リソースに配置されるＩＭＲ１と、ＴＰ＃２の所定リソースに配置されるＩＭＲ２と、ＴＰ＃１とＴＰ＃２の所定リソースに配置されるＩＭＲ３に割当てられる。
【００４６】
また、図５においては、ユーザ端末が、複数のＳＭＲ１、２とＩＭＲ１〜ＩＭＲ３に基づいて、複数種類のチャネル状態情報（例えば、ＣＳＩ１〜ＣＳＩ４）を生成する場合を示している（図５Ｂ参照）。
【００４７】
ここでは、ＣＳＩ１（ＳＭＲ１／ＩＭＲ１）は、ＰＵＣＣＨ報告タイプ４、ワイドバンドＣＱＩであり、シングルセル送信時におけるＴＰ＃１（セルインデックス：０）のチャネル品質に相当する。ＣＳＩ２（ＳＭＲ１／ＩＭＲ３）は、ＰＵＣＣＨ報告タイプ４、ワイドバンドＣＱＩであり、協調送信時におけるＴＰ＃１のチャネル品質に相当する。ＣＳＩ３（ＳＭＲ２／ＩＭＲ２）は、ＰＵＣＣＨ報告タイプ４、ワイドバンドＣＱＩであり、シングルセル送信時におけるＴＰ＃２（セルインデックス：１）のチャネル品質に相当する。ＣＳＩ４（ＳＭＲ２／ＩＭＲ３）は、ＰＵＣＣＨ報告タイプ１、サブバンドＣＱＩであり、協調送信時におけるＴＰ＃２のチャネル品質に相当する。なお、各ＣＳＩの内容や算出方法はこれに限られない。
【００４８】
ユーザ端末が、ＣＡ適用時におけるフィードバックチャネル状態情報の選択方法を用いる場合、複数種類のＣＳＩ（ここでは、ＣＳＩ１〜ＣＳＩ４）の中から、ＰＵＣＣＨ報告タイプの優先度が高いＣＳＩを選択する（優先度が低いＣＳＩを除外（ドロップ）する）。ここでは、ＰＵＣＣＨ報告タイプ１がＰＵＣＣＨ報告タイプ４より優先度が低いため、ＣＳＩ４が除外される（図５Ｃ参照）。
【００４９】
次に、残されたＣＳＩ（ＣＳＩ１、ＣＳＩ２、ＣＳＩ３）の中から、各ＣＳＩに対応する送信ポイントのセルインデックスの優先度が高いＣＳＩを選択する（優先度が低いＣＳＩを除外（ドロップ）する）。ここでは、セルインデックスが小さい送信ポイント（ＴＰ＃１）が、セルインデックスが大きい送信ポイント（ＴＰ＃２）より優先度が高く判断されるため、ＣＳＩ３が除外される（図５Ｄ参照）。その結果、ＣＳＩ１とＣＳＩ２が残ることとなる。
【００５０】
ＣＳＩ１とＣＳＩ２は、１つの送信ポイント（ＴＰ＃１）に配置される異なるＩＭＲに基づいて生成されたＣＳＩであるため、ＰＵＣＣＨ報告タイプとセルインデックスが同一となる（同じ優先度を有する）。このように、ＣＡ適用時におけるフィードバックチャネル状態情報の選択方法では、複数種類のフィードバックＣＳＩを完全に分類できないため、ＰＵＣＣＨを介してＣＳＩ１とＣＳＩ２が同じタイミングでフィードバックすると衝突する問題が発生する。また、協調マルチポイント送受信とキャリアアグリゲーション（ＣＡ）を同時に適用する場合にも同様の問題が発生する。
【００５１】
そこで、本発明者は、協調マルチポイント適用時において、チャネル状態測定用参照信号のリソース（望信号推定用リソース（ＳＭＲ）及び／又は干渉信号推定用リソース（ＩＭＲ）等）のインデックスに対して優先度を設定し、当該優先度に基づいてフィードバックＣＳＩを選択することにより、ＣＳＩの衝突を効果的に抑制できることを見出した。以下に、図面を参照して詳細に説明する。
【００５２】
（第１の態様）
第１の態様では、ユーザ端末が生成する複数種類のＣＳＩの中から、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスに設定される優先度に基づいて、フィードバックＣＳＩを選択する場合について説明する。また、以下の説明では、「ＣｏＭＰ適用／ＣＡ非適用時」と「ＣｏＭＰ適用／ＣＡ適用時」についてそれぞれ説明する。
【００５３】
＜ＣｏＭＰ適用／ＣＡ非適用時＞
ユーザ端末は、各送信ポイントにおいて配置されるＳＭＲとＩＭＲを適用してＣＳＩを生成する場合（エミュレーション非適用）、各ＣＳＩに対応するＣＳＩ−ＲＳのリソースインデックス（ＳＭＲインデックス及び／又はＩＭＲインデックス）に設定される優先度に基づいて、フィードバックＣＳＩを選択する。具体的には、図６に示すように、ＣｏＭＰセットとなる複数の送信ポイントにおいて、複数のＳＭＲとＩＭＲが配置される場合（上記図３Ｂ参照）には、ＳＭＲインデックス及びＩＭＲインデックスにそれぞれ設定される優先度に基づいて、フィードバックＣＳＩを選択する（フィードバックしないＣＳＩを除外（ドロップ）する）。
【００５４】
また、複数送信ポイントにおいて、１個のＳＭＲと複数のＩＭＲが配置される場合には、ＩＭＲインデックスに設定される優先度に基づいてフィードバックＣＳＩを選択し、複数のＳＭＲと１個のＩＭＲが配置される場合には、ＳＭＲインデックスに設定される優先度に基づいてフィードバックＣＳＩを選択する。
【００５５】
ユーザ端末が、ＳＭＲとＩＭＲを用いて間接的に異なる干渉を測定するエミュレーションを行う場合（ｅｍｕｌａｔｉｏｎ適用）、ＳＭＲインデックス、ＩＭＲインデックス、エミュレーションに使用するノンゼロパワーＣＳＩ−ＲＳのインデックスに設定される優先度に基づいて、フィードバックＣＳＩを選択することができる。あるいは、ＳＭＲインデックスとＵＥエミュレーションインデックスに設定される優先度に基づいて、フィードバックＣＳＩを選択することができる。
【００５６】
なお、エミュレーションに使用するノンゼロパワーＣＳＩ−ＲＳとしては、例えば上記図３ＣにおけるＳＭＲ２に割当てられるＣＳＩ−ＲＳを指す。また、ＵＥエミュレーションは、上述したように、エミュレーションに使用するＩＭＲとノンゼロパワーＣＳＩ−ＲＳの組合せに相当する。
【００５７】
ＳＭＲインデックス、ＩＭＲインデックス、エミュレーションに使用したノンゼロパワーＣＳＩ−ＲＳのインデックス、ＵＥエミュレーションインデックスに関する情報は、例えば、報知信号（Ｐｈｙｓｉｃａｌ  Ｂｒｏａｄｃａｓｔ  Ｃｈａｎｎｅｌを用いて送信されるＭａｓｔｅｒ  Ｉｎｆｏｒｍａｔｉｏｎ  Ｂｌｏｃｋ（ＭＩＢ）、もしくはデータチャネルに多重されるＳｙｓｔｅｍ  Ｉｎｆｏｒｍａｔｉｏｎ  Ｂｌｏｃｋ（ＳＩＢ））で送られてもよいし、上位レイヤシグナリング、ＲＲＣシグナリング、Ｍｅｄｉｕｍ  Ａｃｃｅｓｓ  Ｃｏｎｔｒｏｌ（ＭＡＣ）信号又は下りリンク制御情報により無線基地局からユーザ端末に通知される。
【００５８】
また、無線基地局は、各ＣＳＩの生成に利用される各情報のインデックスの優先度を設定し、ユーザ端末に通知することができる。例えば、図３Ｂに示すように、複数のＩＭＲが配置される場合（エミュレーション非適用）、無線基地局は、シングルセル送信における干渉推定用ＩＭＲの優先度を、協調送信における干渉推定用ＩＭＲの優先度より高く設定する。例えば、無線基地局は、図３Ｂに示す場合には、シングルセル送信における干渉推定用ＩＭＲ１、ＩＭＲ２の優先度を、協調送信における干渉推定用ＩＭＲ３の優先度より高く設定することができる。これは、シングルセル送信におけるＣＳＩの方が重要となるためである。ＩＭＲインデックスが小さい方が優先度が高くなるように設定する場合には、シングルセル送信における干渉推定用ＩＭＲインデックスを相対的に小さくする。
【００５９】
また、図３Ｃに示すように、ユーザ端末がエミュレーションを適用する場合、無線基地局は、シングルセル送信における干渉推定用のＵＥエミュレーションの優先度を、協調送信におけるＵＥエミュレーションの優先度より高く設定する。ＵＥエミュレーションインデックスが小さい方が優先度を高くする場合、シングルセル送信におけるＵＥエミュレーションインデックスを相対的に小さくする。
【００６０】
次に、協調マルチポイント送信時のフィードバックＣＳＩの選択方法（CSI  dropping  and  reporting）の一例について、図７を参照して説明する。なお、図７では、ＣｏＭＰセットとなる２つの送信ポイント（ＴＰ＃１、ＴＰ＃２）からチャネル状態測定用参照信号（希望信号推定用ＣＳＩ−ＲＳ及び干渉信号推定用ＣＳＩ−ＲＳ）が送信される場合（図５Ａ参照）を示している。
【００６１】
また、図７においては、ユーザ端末が、複数のＳＭＲ１、２とＩＭＲ１〜ＩＭＲ３に基づいて、複数種類のチャネル状態情報（例えば、ＣＳＩ１〜ＣＳＩ４）を生成する場合を示している。なお、図７Ａにおける各ＣＳＩ１〜４は、図５Ｂに示すＣＳＩ１〜４と同じ内容となっている。
【００６２】
まず、ユーザ端末は、複数種類のＣＳＩ（ここでは、ＣＳＩ１〜ＣＳＩ４）の中から、ＰＵＣＣＨ報告タイプの優先度が高いＣＳＩを選択する（優先度が低いＣＳＩを除外（ドロップ）する）。ここでは、ＰＵＣＣＨ報告タイプ１がＰＵＣＣＨ報告タイプ４より優先度が低いため、ＣＳＩ４が除外される（図７Ｂ参照）。
【００６３】
次に、ユーザ端末は、残されたＣＳＩ（ＣＳＩ１、ＣＳＩ２、ＣＳＩ３）の中から、各ＣＳＩに対応する（各ＣＳＩの生成に利用する）ＣＳＩ−ＲＳのリソースインデックス（ＩＭＲ／ＳＭＲインデックス）の優先度が高いＣＳＩを選択する（優先度が低いＣＳＩを除外（ドロップ）する）。
【００６４】
例えば、ＳＭＲインデックスがＩＭＲインデックスより優先され、ＳＭＲインデックスの優先度がＳＭＲ１＞ＳＭＲ２の順で高く設定され、ＩＭＲのインデックスの優先度がＩＭＲ２＞ＩＭＲ１＞ＩＭＲ３の順で高く設定されている場合を図７Ｃに示す。この場合、まずＳＭＲに設定された優先度が低いＣＳＩ３が除外され、次に、同じＳＭＲインデックスを有するＣＳＩ１とＣＳＩ２のうち、ＩＭＲに設定された優先度が低いＣＳＩ２が除外される。結果的に、フィードバックＣＳＩとして、ＣＳＩ１が選択される。選択されたＣＳＩ１は、ＰＵＣＣＨ（例えば、ＰＵＣＣＨ  ｆｏｒｍａｔ２）を介して、ユーザ端末から無線基地局にフィードバックされる。
【００６５】
また、ＩＭＲインデックスがＳＭＲインデックスより優先され、ＳＭＲインデックスの優先度がＳＭＲ１＞ＳＭＲ２の順で高く設定され、ＩＭＲのインデックスの優先度がＩＭＲ２＞ＩＭＲ１＞ＩＭＲ３の順で高く設定されている場合を図７Ｄに示す。この場合、まずＩＭＲに設定された優先度が最も低いＣＳＩ２が除外され、次に、ＩＭＲに設定された優先度が低いＣＳＩ１が除外される。結果的に、フィードバックＣＳＩとして、ＣＳＩ３が選択される。選択されたＣＳＩ３は、ＰＵＣＣＨ（例えば、ＰＵＣＣＨ  ｆｏｒｍａｔ２）を介して、ユーザ端末から無線基地局にフィードバックされる。
【００６６】
このように、協調マルチポイント送信時のフィードバックＣＳＩの選択方法において、各ＣＳＩの生成に利用される（ＳＭＲ、ＩＭＲ等）のインデックスに設定される優先度に基づいてフィードバックＣＳＩを選択することにより、ＣＳＩの衝突を効果的に抑制することができる。
【００６７】
＜ＣｏＭＰ適用／ＣＡ適用時＞
協調送信とキャリアアグリゲーションを適用する場合には、異なるＣＣに対するＣＳＩにおいて、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）に設定される優先度が同じとなる場合がある。そのため、協調送信とキャリアアグリゲーションの双方を適用する場合には、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）に加えて、セルインデックスに設定された優先度についても考慮する。
【００６８】
図８は、あるサブフレームにおいて、同じ周波数（周波数１）が適用される送信ポイント（ＴＰ＃１、ＴＰ＃２）と、周波数１と異なる周波数（周波数２）が適用される送信ポイント（ＴＰ＃３）からＣＳＩ−ＲＳ（希望信号推定用ＣＳＩ−ＲＳ及び干渉信号推定用ＣＳＩ−ＲＳ）が送信される場合を示している。具体的には、ＴＰ＃１とＴＰ＃２がＣｏＭＰセットとなり、ＴＰ＃１とＴＰ＃３でキャリアアグリゲーションが適用される場合を示している。
【００６９】
ユーザ端末は、各送信ポイントにおいて配置される複数のＳＭＲと複数のＩＭＲを適用してＣＳＩを生成する場合（エミュレーション非適用）、各ＣＳＩに対応するＣＳＩ−ＲＳのリソースインデックス（ＳＭＲインデックス及び／又はＩＭＲインデックス）とセルインデックスに設定される優先度に基づいて、フィードバックＣＳＩを選択する。具体的には、図９に示すように、セルインデックス、ＳＭＲインデックス及びＩＭＲインデックスにそれぞれ設定される優先度に基づいて、フィードバックＣＳＩを選択する（フィードバックしないＣＳＩを除外（ドロップ）する）。
【００７０】
また、複数送信ポイントにおいて、１個のＳＭＲと複数のＩＭＲが配置される場合には、セルインデックス及びＩＭＲインデックスに設定される優先度に基づいてフィードバックＣＳＩを選択し、複数のＳＭＲと１個のＩＭＲが配置される場合には、セルインデックス及びＳＭＲインデックスに設定される優先度に基づいてフィードバックＣＳＩを選択する。
【００７１】
ユーザ端末が、ＳＭＲとＩＭＲを用いて間接的に異なる干渉を測定するエミュレーションを行う場合（ｅｍｕｌａｔｉｏｎ適用）、セルインデックス、ＳＭＲインデックス、ＩＭＲインデックス、エミュレーションに使用するノンゼロパワーＣＳＩ−ＲＳのインデックスに設定される優先度に基づいて、フィードバックＣＳＩを選択する。あるいは、セルインデックス、ＳＭＲインデックスとＵＥエミュレーションインデックスに設定される優先度に基づいて、フィードバックＣＳＩを選択する。
【００７２】
つまり、協調送信とキャリアアグリゲーションの双方を適用する場合には、上記図６で示した優先度が設定される対象に、セルインデックスを追加した構成とすることができる。
【００７３】
次に、協調マルチポイント送受信とキャリアアグリゲーション適用時のフィードバックＣＳＩの選択方法（CSI  dropping  and  reporting）の一例について、図１０を参照して説明する。なお、図１０では、３つの送信ポイント（ＴＰ＃１〜ＴＰ＃３）からチャネル状態測定用参照信号（希望信号推定用ＣＳＩ−ＲＳ及び干渉信号推定用ＣＳＩ−ＲＳ）が送信される場合（図８参照）を示している。つまり、上述したように、ＴＰ＃１とＴＰ＃２がＣｏＭＰセットとなり、ＴＰ＃１とＴＰ＃３でキャリアアグリゲーションが適用される。
【００７４】
また、図１０においては、ユーザ端末が、ＴＰ＃１（セルインデックス：０）に対するＣＳＩ１、ＣＳＩ２と、ＴＰ＃２（セルインデックス：２）に対するＣＳＩ３、ＣＳＩ４と、ＴＰ＃３（セルインデックス：１）に対するＣＳＩ５を生成する場合を示している。図１０ＡにおけるＣＳＩ１〜４は、図５Ｂ、図７Ａに示すＣＳＩ１〜４と同じ内容となっている。また、ＣＳＩ５（ＳＭＲ１／ＩＭＲ１）は、ＰＵＣＣＨ報告タイプ４、ワイドバンドＣＱＩであり、シングルセル送信時におけるＴＰ＃３のチャネル品質に相当する。
【００７５】
まず、ユーザ端末は、複数種類のＣＳＩ（ここでは、ＣＳＩ１〜ＣＳＩ５）の中から、ＰＵＣＣＨ報告タイプの優先度が高いＣＳＩを選択する（優先度が低いＣＳＩを除外（ドロップ）する）。ここでは、ＰＵＣＣＨ報告タイプ１がＰＵＣＣＨ報告タイプ４より優先度が低いため、ＣＳＩ４が除外される（図１０Ｂ参照）。
【００７６】
次に、ユーザ端末は、残されたＣＳＩ（ＣＳＩ１、ＣＳＩ２、ＣＳＩ３、ＣＳＩ５）の中から、各ＣＳＩに対応する（各ＣＳＩの生成に利用する）ＣＳＩ−ＲＳのリソースインデックス（ＩＭＲ／ＳＭＲインデックス）とセルインデックスの優先度が高いＣＳＩを選択する（優先度が低いＣＳＩを除外（ドロップ）する）。
【００７７】
例えば、セルインデックス＞ＳＭＲインデックス＞ＩＭＲインデックスの順で優先され、ＳＭＲインデックスの優先度がＳＭＲ１＞ＳＭＲ２の順で高く設定され、ＩＭＲのインデックスの優先度がＩＭＲ２＞ＩＭＲ１＞ＩＭＲ３の順で高く設定されている場合を図１０Ｃに示す。セルインデックスについては、セルインデックスの番号が小さい方が優先度が高く設定されている。
【００７８】
この場合、まずセルインデックスに設定された優先度が低いＣＳＩ３が除外され、次に、セルインデックスの優先度が低いＣＳＩ５が除外される。同じセルインデックスを有するＣＳＩ１とＣＳＩ２は同じＳＭＲインデックスを有するため、ＩＭＲインデックスにより判断される。ここでは、ＩＭＲに設定された優先度が低いＣＳＩ２が除外される。結果的に、フィードバックＣＳＩとして、ＣＳＩ１が選択される。選択されたＣＳＩ１は、ＰＵＣＣＨ（例えば、ＰＵＣＣＨ  ｆｏｒｍａｔ２）を介して、ユーザ端末から無線基地局にフィードバックされる。
【００７９】
このように、協調マルチポイント送受信とキャリアアグリゲーション適用時のフィードバックＣＳＩの選択方法において、各ＣＳＩの生成に利用される（ＳＭＲ、ＩＭＲ等）のインデックスとセルインデックスに設定される優先度に基づいてフィードバックＣＳＩを選択することにより、ＣＳＩの衝突を効果的に抑制することができる。
【００８０】
（第２の態様）
第２の態様では、ユーザ端末が生成する複数種類のＣＳＩの中から、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスの組合せに対して設定される優先度に基づいて、フィードバックＣＳＩを選択する場合について説明する。なお、以下の説明では、第１の態様と異なる部分について説明し、第１の態様を適用できる部分については上記説明を参照することができる。
【００８１】
＜ＣｏＭＰ適用／ＣＡ非適用時＞
ユーザ端末は、各送信ポイントにおいて配置されるＳＭＲとＩＭＲを適用してＣＳＩを生成する場合（エミュレーション非適用）、各ＣＳＩに対応するＣＳＩ−ＲＳのリソースインデックスの組合せに設定される優先度に基づいて、フィードバックＣＳＩを選択する。具体的には、図１１に示すように、ＣｏＭＰセットとなる複数の送信ポイントにおいて、複数のＳＭＲとＩＭＲが配置される場合（上記図３Ｂ参照）には、一つ又は複数のＳＭＲインデックスとＩＭＲインデックスの組合せに対して設定される優先度に基づいて、フィードバックＣＳＩを選択する。この場合、ＳＭＲインデックスとＩＭＲインデックスの組合せに対して新たなインデックスを設け、当該インデックスに優先度を設定することができる。
【００８２】
また、ＳＭＲインデックスとＩＭＲインデックスの組合せはＣＳＩインデックスで表すことができるため、ＣＳＩインデックスに対して優先度を設定してフィードバックＣＳＩの選択を制御することもできる。
【００８３】
ユーザ端末が、ＳＭＲとＩＭＲを用いて間接的に他の干渉を測定するエミュレーションを行う場合（ｅｍｕｌａｔｉｏｎ適用）、一つ又は複数のＳＭＲインデックスとＩＭＲインデックスとエミュレーションに使用するノンゼロパワーＣＳＩ−ＲＳのインデックスとの組合せに設定される優先度に基づいて、フィードバックＣＳＩを選択することができる。あるいは、ＳＭＲインデックスとＵＥエミュレーションインデックスの組合せに設定される優先度に基づいて、フィードバックＣＳＩを選択してもよい。
【００８４】
また、ＳＭＲインデックスとＵＥエミュレーションインデックスの組合せはＣＳＩインデックスで表すことができるため、ＣＳＩインデックスに対して優先度を設定してフィードバックＣＳＩの選択を制御することもできる。
【００８５】
ＳＭＲインデックス、ＩＭＲインデックス、エミュレーションに使用したノンゼロパワーＣＳＩ−ＲＳのインデックス、ＵＥエミュレーションインデックス等の各種インデックスの組合せたインデックスに関する情報は、例えば、報知信号（Ｐｈｙｓｉｃａｌ  Ｂｒｏａｄｃａｓｔ  Ｃｈａｎｎｅｌを用いて送信されるＭａｓｔｅｒ  Ｉｎｆｏｒｍａｔｉｏｎ  Ｂｌｏｃｋ（ＭＩＢ）、もしくはデータチャネルに多重されるＳｙｓｔｅｍ  Ｉｎｆｏｒｍａｔｉｏｎ  Ｂｌｏｃｋ（ＳＩＢ））で送られてもよいし、上位レイヤシグナリング、ＲＲＣシグナリング、Ｍｅｄｉｕｍ  Ａｃｃｅｓｓ  Ｃｏｎｔｒｏｌ（ＭＡＣ）信号又は下りリンク制御情報により無線基地局からユーザ端末に通知される。
【００８６】
また、無線基地局は、各ＣＳＩの生成に利用される各情報のインデックスの組合せに対して優先度を設定し、ユーザ端末に通知することができる。例えば、無線基地局は、各ＣＳＩの生成に利用される各情報のインデックスの組合せに設定する優先度として、シングルセル送信のＣＳＩの生成に利用する情報を組合せたインデックスの優先度を高く設定する。一般的に、シングルセル送信におけるＣＳＩが、協調送信におけるＣＳＩより重要となるためである。
【００８７】
次に、協調マルチポイント送信時のフィードバックＣＳＩの選択方法（CSI  dropping  and  reporting）の一例について、図１２を参照して説明する。なお、図１２では、ＣｏＭＰセットとなる２つの送信ポイント（ＴＰ＃１、ＴＰ＃２）からチャネル状態測定用参照信号（希望信号推定用ＣＳＩ−ＲＳ及び干渉信号推定用ＣＳＩ−ＲＳ）が送信される場合（図５Ａ参照）を示している。
【００８８】
また、図１２においては、ユーザ端末が、複数のＳＭＲ１、２とＩＭＲ１〜ＩＭＲ３に基づいて、複数種類のチャネル状態情報（例えば、ＣＳＩ１〜ＣＳＩ４）を生成する場合を示している。なお、図１２における各ＣＳＩ１〜４は、図５Ｂ、図７Ａ等に示すＣＳＩ１〜４と同じ内容となっている。
【００８９】
まず、ユーザ端末は、複数種類のＣＳＩ（ここでは、ＣＳＩ１〜ＣＳＩ４）の中から、ＰＵＣＣＨ報告タイプの優先度が高いＣＳＩを選択する（優先度が低いＣＳＩを除外（ドロップ）する）。ここでは、ＰＵＣＣＨ報告タイプ１がＰＵＣＣＨ報告タイプ４より優先度が低いため、ＣＳＩ４が除外される（図１２Ｂ参照）。
【００９０】
次に、ユーザ端末は、残されたＣＳＩ（ＣＳＩ１、ＣＳＩ２、ＣＳＩ３）の中から、各ＣＳＩに対応する（各ＣＳＩの生成に利用する）ＣＳＩ−ＲＳのリソースインデックス（ＩＭＲ／ＳＭＲインデックス）の組合せに設定される優先度が高いＣＳＩを選択する（優先度が低いＣＳＩを除外（ドロップ）する）。
【００９１】
例えば、ＳＭＲインデックスとＩＭＲインデックスの組合せ（ＳＭＲ／ＩＭＲ）の優先度が、ＳＭＲ１／ＩＭＲ１＞ＳＭＲ２／ＩＭＲ２＞ＳＭＲ１／ＩＭＲ３の順で高く設定される場合を図１２Ｃに示す。例えば、ＳＭＲ１／ＩＭＲ１、ＳＭＲ２／ＩＭＲ２、ＳＭＲ１／ＩＭＲ３の各組合せに対して、それぞれインデックス０、１、２を設け、番号が小さい順に優先度を高く設定する。この場合、まずＳＭＲとＩＭＲのインデックスの組合せに設定された優先度が最も低いＣＳＩ２が除外される。次に、残されたＣＳＩ１（ＳＭＲ１／ＩＭＲ１）とＣＳＩ３（ＳＭＲ２／ＩＭＲ２）では、ＣＳＩ１の方が優先度が高くなる。但し、ここでは、ＣＳＩを容量が大きいＰＵＣＣＨ  ｆｏｒｍａｔ３を介してフィードバックする場合を想定しているため、ＣＳＩ１とＣＳＩ３の双方がフィードバックされる。なお、ユーザ端末は、ＰＵＣＣＨに割当てる順序や配置を優先度に基づいて決定することができる。
【００９２】
なお、ＳＭＲとＩＭＲのインデックスの組合せに対する優先度は様々な観点から設定することができる。例えば、ＩＭＲ又はＳＭＲの一方を基準として優先度を設定することができる。また、全てのＳＭＲとＩＭＲの組合せに対してインデックスを付して優先度を設定してもよい。
【００９３】
上記図１２では、ＩＭＲを基準として、ＩＭＲ１＞ＩＭＲ２＞ＩＭＲ３の順で優先度が高くなるように、ＳＭＲとＩＭＲのインデックスの組合せの優先度を設定している。この場合、同じＩＭＲインデックス（ＩＭＲ３）を有するＣＳＩ（ＣＳＩ２とＣＳＩ４）は、ＳＭＲとＩＭＲのインデックスの組合せの優先度が同じとなる。そのため、図１２において、仮に、ＣＳＩ４がワイドバンドＣＱＩで構成される場合（図１３Ａ参照）、ＣＳＩ２とＣＳＩ４についてＰＵＣＣＨ報告タイプの優先度及びＳＭＲ／ＩＭＲの優先度が同じとなってしまう。
【００９４】
したがって、協調マルチポイント送信時のフィードバックＣＳＩの選択方法の他の態様として、ＳＭＲとＩＭＲのインデックスの組合せに優先度を設定する場合には、組合せに設定される優先度が同じグループにおいて、所定の基準に基づいてあらかじめ候補を選択してもよい。例えば、ＳＭＲとＩＭＲのインデックスの組合せの優先度が同じグループ毎に所定（例えば、ＰＵＣＣＨ報告タイプ、セルインデックス）の優先度に基づいて１つのＣＳＩを選択した後に、ＳＭＲとＩＭＲのインデックスの組合せの優先度を適用することができる。この場合について図１３を参照して説明する。
【００９５】
ユーザ端末は、まずＳＭＲとＩＭＲのインデックスの組合せ（ＳＭＲ／ＩＭＲ）の優先度に基づいて、複数のＣＳＩを分類する。例えば、ＳＭＲ／ＩＭＲに対して、ＳＭＲ１／ＩＭＲ１の組合せ（組合せ０）と、ＳＭＲ２／ＩＭＲ２の組合せ（組合せ１）と、ＳＭＲ１ｏｒＳＭＲ２／ＩＭＲ３の組合せ（組合せ２）にそれぞれ優先度が設定される場合、ＣＳＩ１は組合せ０、ＣＳＩ３は組合せ１、ＣＳＩ２とＣＳＩ４は組合せ２に分類することができる。ＳＭＲ／ＩＭＲをＣＳＩインデックスで表す場合には、ＣＳＩ１が組合せ０、ＣＳＩ２とＣＳＩ４が組合せ２、ＣＳＩ３が組合せ１に分類することができる。
【００９６】
次に、ユーザ端末は、分類された組合せ毎に、ＰＵＣＣＨ報告タイプに設定される優先度と、セルインデックスに設定される優先度に基づいてＣＳＩを選択する。図１３では、組合せ２に複数のＣＳＩが存在するため、ＣＳＩ２とＣＳＩ４に対して、ＰＵＣＣＨ報告タイプとセルインデックスに設定される優先度に基づいていずれかを選択する。ＣＳＩ２とＣＳＩ４はＰＵＣＣＨ報告タイプの優先度は同じであるが、セルインデックスの優先度はＣＳＩ２の方が高いため、ＣＳＩ４を除外する（図１３Ｂ参照）。その結果、各組合せからそれぞれ１個のＣＳＩが選択される。
【００９７】
次に、ユーザ端末は、上記図１２と同様に、ＣＳＩ１、ＣＳＩ２、ＣＳＩ３に対して、ＳＭＲとＩＭＲのインデックスの組合せの優先度に基づいて、フィードバックＣＳＩを選択する。ここでは、優先度が最も高いＣＳＩ１が選択され、ＰＵＣＣＨ（例えば、ＰＵＣＣＨ  ｆｏｒｍａｔ２）を介して、ユーザ端末から無線基地局にフィードバックされる。
【００９８】
このように、ＳＭＲとＩＭＲのインデックスの組合せに設定される優先度に基づいて複数のＣＳＩを分類し、分類された組合せのグループに対してＰＵＣＣＨ報告タイプとセルインデックスに設定される優先度に基づいて選択することにより、複数のＣＳＩについて適切に優先付けを行うことができる。なお、ここでは、ＳＭＲインデックスとＩＭＲインデックスの組合せについて説明したが、他のインデックスの組合せにも適用することができる。
【００９９】
＜ＣｏＭＰ適用／ＣＡ適用時＞
協調送信とキャリアアグリゲーションを適用する場合には、異なるＣＣに対するＣＳＩにおいて、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスの組合せに設定される優先度が同じとなる場合がある。そのため、協調送信とキャリアアグリゲーションの双方を適用する場合には、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスに加えて、セルインデックスに設定された優先度についても考慮する。
【０１００】
具体的には、上記＜ＣｏＭＰ適用／ＣＡ非適用時＞に考慮した各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスの組合せだけでなく、セルインデックスについても組み合わせる。つまり、協調送信とキャリアアグリゲーションの双方を適用する場合には、上記図１１で示した優先度が設定される対象に、セルインデックスを追加して組み合わせる構成となる。例えば、ＵＥエミュレーションを適用しない場合には、ＳＭＲインデックス、ＩＭＲインデックス及びセルインデックスの組合せ（又は、ＣＳＩインデックスとセルインデックスの組合せ）に対して優先度を設定する。
【０１０１】
次に、協調マルチポイント送受信とキャリアアグリゲーション適用時のフィードバックＣＳＩの選択方法（CSI  dropping  and  reporting）の一例について、図１４を参照して説明する。なお、図１４では、３つの送信ポイント（ＴＰ＃１〜ＴＰ＃３）からチャネル状態測定用参照信号（希望信号推定用ＣＳＩ−ＲＳ及び干渉信号推定用ＣＳＩ−ＲＳ）が送信される場合（図８参照）を示している。つまり、ＴＰ＃１とＴＰ＃２がＣｏＭＰセットとなり、ＴＰ＃１とＴＰ＃３でキャリアアグリゲーションが適用される。
【０１０２】
また、図１４においては、ユーザ端末が、ＴＰ＃１（セルインデックス：０）に対するＣＳＩ１、ＣＳＩ２と、ＴＰ＃２（セルインデックス：２）に対するＣＳＩ３、ＣＳＩ４と、ＴＰ＃３（セルインデックス：１）に対するＣＳＩ５を生成する場合を示している。また、図１４ＡにおけるＣＳＩ１〜５は、上記図１０に示すＣＳＩ１〜５と同じ内容となっている。
【０１０３】
まず、ユーザ端末は、複数種類のＣＳＩ（ここでは、ＣＳＩ１〜ＣＳＩ５）の中から、ＰＵＣＣＨ報告タイプの優先度が高いＣＳＩを選択する（優先度が低いＣＳＩを除外（ドロップ）する）。ここでは、ＰＵＣＣＨ報告タイプ１がＰＵＣＣＨ報告タイプ４より優先度が低いため、ＣＳＩ４が除外される（図１４Ｂ参照）。
【０１０４】
次に、ユーザ端末は、残されたＣＳＩ（ＣＳＩ１、ＣＳＩ２、ＣＳＩ３）の中から、各ＣＳＩに対応する（各ＣＳＩの生成に利用する）ＣＳＩ−ＲＳのリソースインデックス（ＩＭＲ／ＳＭＲインデックス）とセルインデックスの組合せに設定される優先度が高いＣＳＩを選択する（優先度が低いＣＳＩを除外（ドロップ）する）。
【０１０５】
例えば、セルインデックス、ＳＭＲインデックス及びＩＭＲインデックスの組合せ（ＴＰ／ＳＭＲ／ＩＭＲ）の優先度が、ＴＰ１／ＳＭＲ１／ＩＭＲ１＞ＴＰ３／ＳＭＲ１／ＩＭＲ１＞ＴＰ１／ＳＭＲ１／ＩＭＲ３＞ＴＰ２／ＳＭＲ２／ＩＭＲ２の順で高く設定されている場合を図１４Ｃに示す。
【０１０６】
この場合、優先度が低いＣＳＩ３、ＣＳＩ２、ＣＳＩ５の順に除外（ドロップ）され、ＣＳＩ１が選択される。選択されたＣＳＩ１は、ＰＵＣＣＨ（例えば、ＰＵＣＣＨ  ｆｏｒｍａｔ２）を介して、ユーザ端末から無線基地局にフィードバックされる。
【０１０７】
このように、協調マルチポイント送受信とキャリアアグリゲーションを適用時のフィードバックＣＳＩの選択方法において、各ＣＳＩの生成に利用されるＳＭＲ、ＩＭＲ等のインデックスとセルインデックスの組合せに対して設定される優先度に基づいてフィードバックＣＳＩを選択することにより、ＣＳＩの衝突を効果的に抑制することができる。
【０１０８】
なお、セルインデックス、ＳＭＲインデックス及びＩＭＲインデックスの組合せに対する優先度は様々な観点から設定することができる。例えば、ＩＭＲ又はＳＭＲの一方を基準として優先度を設定することができる。例えば、ＩＭＲ又はＳＭＲの一方を基準として優先度を設定することができる。また、全てのＳＭＲとＩＭＲの組合せに対してインデックスを付して優先度を設定してもよい。
【０１０９】
次に、協調マルチポイント送受信とＣＡ適用時のフィードバックＣＳＩの選択方法の他の態様として、ＳＭＲとＩＭＲのインデックスの組合せの優先度に基づいてグループに分類し、グループ毎に所定の優先度に基づいて１つのＣＳＩを選択した後に、セルインデックス、ＳＭＲ／ＩＭＲインデックスの組合せの優先度を適用することができる。この場合について図１５を参照して説明する。
【０１１０】
ユーザ端末は、まずＳＭＲとＩＭＲのインデックスの組合せ（ＳＭＲ／ＩＭＲ）の優先度に基づいて、複数のＣＳＩを分類する。例えば、ＳＭＲ１／ＩＭＲ１の組合せ（組合せ０）と、ＳＭＲ２／ＩＭＲ２の組合せ（組合せ２）と、ＳＭＲ１ｏｒＳＭＲ２／ＩＭＲ３の組合せ（組合せ１）に対してそれぞれ優先度が設定される場合、ＣＳＩ１（ＴＰ１／ＳＭＲ１／ＩＭＲ１）とＣＳＩ５（ＴＰ３／ＳＭＲ１／ＩＭＲ１）は組合せ０、ＣＳＩ３（ＴＰ２／ＳＭＲ２／ＩＭＲ２）は組合せ２、ＣＳＩ２（ＴＰ１／ＳＭＲ１／ＩＭＲ３）とＣＳＩ４（ＴＰ２／ＳＭＲ２／ＩＭＲ３）は組合せ１に分類される。
【０１１１】
次に、ユーザ端末は、分類された組合せ毎に、ＰＵＣＣＨ報告タイプに設定される優先度と、セルインデックスに設定される優先度に基づいてＣＳＩを選択する。図１５では、組合せ０と組合せ１に複数のＣＳＩが存在するため、ＣＳＩ１／ＣＳＩ５、ＣＳＩ２／ＣＳＩ４に対して、ＰＵＣＣＨ報告タイプとセルインデックスに設定される優先度に基づいていずれかを選択する。ＣＳＩ１とＣＳＩ５はＰＵＣＣＨ報告タイプの優先度は同じであるが、セルインデックスの優先度はＣＳＩ１の方が高いため、ＣＳＩ５を除外する（図１５Ｂ参照）。また、ＣＳＩ２とＣＳＩ４はＰＵＣＣＨ報告タイプの優先度がＣＳＩ２の方が高いため、ＣＳＩ４を除外する（図１５Ｂ参照）。その結果、各組合せからそれぞれ１個のＣＳＩが選択される。
【０１１２】
次に、ユーザ端末は、上記図１４と同様に、ＣＳＩ１、ＣＳＩ２、ＣＳＩ３に対して、セルインデックス、ＳＭＲインデックス及びＩＭＲインデックスの組合せの優先度に基づいて、フィードバックＣＳＩを選択する。ここでは、優先度が最も高いＣＳＩ１が選択され、ＰＵＣＣＨ（例えば、ＰＵＣＣＨ  ｆｏｒｍａｔ２）を介して、ユーザ端末から無線基地局にフィードバックされる。
【０１１３】
このように、セルインデックス、ＳＭＲインデックス及びＩＭＲインデックスの組合せの優先度に基づいて複数のＣＳＩを分類し、分類された組合せのグループに対してＰＵＣＣＨ報告タイプとセルインデックスに設定される優先度に基づいて選択することにより、複数のＣＳＩについて適切に優先付けを行うことができる。なお、ここでは、セルインデックス、ＳＭＲインデックス及びＩＭＲインデックスの組合せについて説明したが、他のインデックスの組合せにも適用することができる。
【０１１４】
（他の態様）
本実施の形態の他の態様として、ユーザ端末からＰＵＳＣＨを介して複数のＣＳＩをフィードバックする際に、ＰＵＳＣＨに対する複数のＣＳＩの配置順序（placing  order）として、上記第１の態様又は第２の態様におけるＣＳＩの優先度に基づいて決定することができる。
【０１１５】
上述したように、ユーザ端末からフィードバックされるＣＳＩは、ユーザデータと同時に送信する場合はＰＵＳＣＨと時間多重される。Ｒｅｌ．１０においては、ＰＵＳＣＨを介して異なる送信ポイントから複数のＣＳＩをフィードバックする際に、セルインデックスの順番にしたがうことが検討されている。しかし、ＰＵＳＣＨを介して１つの送信ポイントから複数のＣＳＩをどのようにフィードバックするかについては決まっていない。
【０１１６】
したがって、ここでは、ＰＵＳＣＨを介して複数のＣＳＩを送信する場合に、上記第１の態様で規定されるＣＳＩの優先度に基づいて、複数のＣＳＩのＰＵＳＣＨに対する配置順序（placing  order）を決定する。あるいは、上記第２の態様で規定されるＣＳＩの優先度に基づいて、複数のＣＳＩのＰＵＳＣＨに対する配置順序を決定してもよい。
【０１１７】
（無線通信システムの構成）
以下に、本実施の形態に係る無線通信システムについて詳細に説明する。図１６は、本実施の形態に係る無線通信システムのシステム構成の説明図である。なお、図１６に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【０１１８】
図１６に示すように、無線通信システム１は、無線基地局２０Ａ，２０Ｂと、この無線基地局２０Ａ，２０Ｂと通信する複数の第１、第２のユーザ端末１０Ａ，１０Ｂとを含んで構成されている。無線基地局２０Ａ，２０Ｂは、上位局装置３０と接続され、この上位局装置３０は、コアネットワーク４０と接続される。また、無線基地局２０Ａ，２０Ｂは、有線接続又は無線接続により相互に接続されている。第１、第２のユーザ端末１０Ａ，１０Ｂは、セルＣ１，Ｃ２において無線基地局２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の基地局によりＣｏＭＰ送信の制御が行われる。
【０１１９】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局２０Ａ，２０Ｂと無線通信するのは第１、第２のユーザ端末１０Ａ，１０Ｂであるものとして説明するが、より一般的には移動端末装置も固定端末装置も含むユーザ装置（ＵＥ）でよい。
【０１２０】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【０１２１】
下りリンクの通信チャネルは、第１、第２のユーザ端末１０Ａ，１０Ｂで共有される下りデータチャネルとしてのＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【０１２２】
上りリンクの通信チャネルは、各ユーザ端末で共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、ＲＩ、ＰＭＩ、ＣＱＩ等のチャネル状態情報（ＣＳＩ）、ＡＣＫ／ＮＡＣＫなどが伝送される。
【０１２３】
図１７を参照しながら、本実施の形態に係る無線基地局の全体構成について説明する。なお、無線基地局２０Ａ，２０Ｂは、同様な構成であるため、無線基地局２０として説明する。また、後述する第１、第２のユーザ端末１０Ａ，１０Ｂも、同様な構成であるため、ユーザ端末１０として説明する。
【０１２４】
無線基地局２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局２０からユーザ端末に送信される送信データは、上位局装置３０から伝送路インターフェース２０６を介してベースバンド信号処理部２０４に入力される。
【０１２５】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【０１２６】
また、ベースバンド信号処理部２０４は、報知チャネルにより、同一セルに接続するユーザ端末１０に対して、各ユーザ端末１０が無線基地局２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【０１２７】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差等の情報及びＰＭＩを含む上りリンク信号を受信する受信手段、及び送信信号を協調マルチポイント送信する送信手段を構成する。また、送受信部２０３は、無線基地局がユーザ端末に対してセル間ＣＳＩ候補値を通知する際の通知部としても機能する。
【０１２８】
一方、上りリンクによりユーザ端末１０から無線基地局２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【０１２９】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【０１３０】
呼処理部２０５は、通信チャネルの設定や解放等の呼処理や、無線基地局２０の状態管理や、無線リソースの管理を行う。
【０１３１】
図１８は、図１７に示す無線基地局におけるベースバンド信号処理部の構成を示すブロック図である。ベースバンド信号処理部２０４は、レイヤ１処理部２０４１と、ＭＡＣ処理部２０４２と、ＲＬＣ処理部２０４３と、優先度情報生成部２０４４と、ＣＳＩ取得部２０４５と、から主に構成されている。
【０１３２】
レイヤ１処理部２０４１は、主に物理レイヤに関する処理を行う。レイヤ１処理部２０４１は、例えば、上りリンクで受信した信号に対して、チャネル復号化、離散フーリエ変換（ＤＦＴ：Discrete  Fourier  Transform）、周波数デマッピング、逆高速フーリエ変換（ＩＦＦＴ：Inverse  Fast  Fourier  Transform）、データ復調などの処理を行う。また、レイヤ１処理部２０４１は、下りリンクで送信する信号に対して、チャネル符号化、データ変調、周波数マッピング、逆高速フーリエ変換（ＩＦＦＴ）などの処理を行う。
【０１３３】
ＭＡＣ処理部２０４２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【０１３４】
ＲＬＣ処理部２０４３は、上りリンクで受信したパケット／下りリンクで送信するパケットに対して、パケットの分割、パケットの結合、ＲＬＣレイヤでの再送制御などを行う。
【０１３５】
ＣＳＩ取得部２０４５は、ユーザ端末からＰＵＣＣＨ等を介してフィードバックされた各セルのＣＳＩを取得する。ユーザ端末からＰＵＣＣＨを介してフィードバックされるＣＳＩは、衝突を回避するように、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスに設定される優先度に基づいて選択されている。
【０１３６】
優先度情報生成部２０４４は、ユーザ端末が生成した複数種類のＣＳＩの中から、フィードバックＣＳＩを選択するために、ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスに対する優先度を設定する。優先度が設定されたインデックスに関する情報は、例えば、報知信号（Ｐｈｙｓｉｃａｌ  Ｂｒｏａｄｃａｓｔ  Ｃｈａｎｎｅｌを用いて送信されるＭａｓｔｅｒ  Ｉｎｆｏｒｍａｔｉｏｎ  Ｂｌｏｃｋ（ＭＩＢ）、もしくはデータチャネルに多重されるＳｙｓｔｅｍ  Ｉｎｆｏｒｍａｔｉｏｎ  Ｂｌｏｃｋ（ＳＩＢ））で送られてもよいし、上位レイヤシグナリング、ＲＲＣシグナリング、Ｍｅｄｉｕｍ  Ａｃｃｅｓｓ  Ｃｏｎｔｒｏｌ（ＭＡＣ）信号又は下りリンク制御情報により無線基地局からユーザ端末に通知される。
【０１３７】
次に、図１９を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【０１３８】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【０１３９】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、位相差の情報、接続セルの情報、選択されたＰＭＩなどを複数セルの無線基地局ｅＮＢに送信する送信手段、及び下りリンク信号を受信する受信手段を構成する。
【０１４０】
図２０は、図１９に示すユーザ端末におけるベースバンド信号処理部の構成を示すブロック図である。ベースバンド信号処理部１０４は、レイヤ１処理部１０４１と、ＭＡＣ処理部１０４２と、ＲＬＣ処理部１０４３と、フィードバックＣＳＩ選択部１０４４と、優先度情報取得部１０４５と、ＣＳＩ生成部１０４６と、から主に構成されている。
【０１４１】
レイヤ１処理部１０４１は、主に物理レイヤに関する処理を行う。レイヤ１処理部１０４１は、例えば、下りリンクで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、上りリンクで送信する信号に対して、チャネル符号化、データ変調、周波数マッピング、逆高速フーリエ変換（ＩＦＦＴ）などの処理を行う。
【０１４２】
ＭＡＣ処理部１０４２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０４２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【０１４３】
ＲＬＣ処理部１０４３は、下りリンクで受信したパケット／上りリンクで送信するパケットに対して、パケットの分割、パケットの結合、ＲＬＣレイヤでの再送制御などを行う。
【０１４４】
ＣＳＩ生成部１０４６は、各送信ポイントから送信されるチャネル状態測定用参照信号（希望信号推定用ＣＳＩ−ＲＳ、干渉信号推定用ＣＳＩ−ＲＳ）を用いて、複数種類のチャネル状態情報（ＣＳＩ）を生成する。例えば、上記図３に示すように、各送信ポイントに配置されるＳＭＲ、ＩＭＲに基づいて、シングルセル送信時におけるＣＳＩ、ＣｏＭＰ送信時におけるＣＳＩ等を生成する。
【０１４５】
優先度情報取得部１０４５は、ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックス、セルインデックス、ＣＳＩインデックス、これらの組合せに設定される優先度に関する情報を取得する。無線基地局が、各情報の優先度を決定する場合には、優先度が設定されたインデックスに関する情報は、例えば、報知信号（Ｐｈｙｓｉｃａｌ  Ｂｒｏａｄｃａｓｔ  Ｃｈａｎｎｅｌを用いて送信されるＭａｓｔｅｒ  Ｉｎｆｏｒｍａｔｉｏｎ  Ｂｌｏｃｋ（ＭＩＢ）、もしくはデータチャネルに多重されるＳｙｓｔｅｍ  Ｉｎｆｏｒｍａｔｉｏｎ  Ｂｌｏｃｋ（ＳＩＢ））、上位レイヤシグナリング、ＲＲＣシグナリング、Ｍｅｄｉｕｍ  Ａｃｃｅｓｓ  Ｃｏｎｔｒｏｌ（ＭＡＣ）信号又は下りリンク制御情報により無線基地局からユーザ端末に通知される。
【０１４６】
フィードバックＣＳＩ選択部１０４４は、優先度情報取得部１０４５からの優先度情報に基づいて、生成した複数種類のＣＳＩの中からフィードバックする所定のＣＳＩを選択する。
【０１４７】
上記第１の態様を適用する場合には、フィードバックＣＳＩ選択部１０４４は、ＣＳＩ生成部１０４６で生成される複数種類のＣＳＩの中から、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスに設定される優先度に基づいて、フィードバックＣＳＩを選択する。
【０１４８】
上記第２の態様を適用する場合には、ＣＳＩ生成部１０４６で生成される複数種類のＣＳＩの中から、各ＣＳＩの生成に利用される各情報（ＳＭＲ、ＩＭＲ、ＵＥ  ｅｍｕｌａｔｉｏｎ、ＮＺＰ  ＣＳＩ−ＲＳ等）のインデックスの組合せに対して設定される優先度に基づいて、フィードバックＣＳＩを選択する。
【０１４９】
フィードバックＣＳＩ選択部１０４４で選択されたＣＳＩは、ＰＵＣＣＨを介して無線基地局にフィードバックされる。
【０１５０】
以上、上述の実施形態を用いて本発明について詳細に説明したが、本発明は上記実施の形態に限定されず、様々変更して実施することが可能である。例えば、本発明の範囲を逸脱しない限りにおいて、上記説明におけるＣＳＩ−ＲＳの設定位置、ミューティング（ゼロパワー）の設定位置、処理部の数、処理手順、ＣＳＩ−ＲＳの数、ミューティングの数、送信ポイント数については適宜変更して実施することが可能である。また、上記説明においては、複数の送信ポイントが複数の無線基地局である場合について説明しているが、送信ポイントはアンテナであっても良い。その他、本発明の範囲を逸脱しないで適宜変更して実施することが可能である。
【符号の説明】
【０１５１】
１  無線通信システム
１０  ユーザ端末
２０  無線基地局
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１，２０４１  レイヤ１処理部
１０４２，２０４２  ＭＡＣ処理部
１０４３，２０４３  ＲＬＣ処理部
１０４４  フィードバックＣＳＩ選択部
１０４５  優先度情報取得部
１０４６  ＣＳＩ生成部
２０４４  優先度情報生成部
２０４５  ＣＳＩ取得部
【図１】
2014007669.tif 000003
【図２】
2014007669.tif 000004
【図３】
2014007669.tif 000005
【図４】
2014007669.tif 000006
【図５】
2014007669.tif 000007
【図６】
2014007669.tif 000008
【図７】
2014007669.tif 000009
【図８】
2014007669.tif 000010
【図９】
2014007669.tif 000011
【図１０】
2014007669.tif 000012
【図１１】
2014007669.tif 000013
【図１２】
2014007669.tif 000014
【図１３】
2014007669.tif 000015
【図１４】
2014007669.tif 000016
【図１５】
2014007669.tif 000017
【図１６】
2014007669.tif 000018
【図１７】
2014007669.tif 000019
【図１８】
2014007669.tif 000020
【図１９】
2014007669.tif 000021
【図２０】
2014007669.tif 000022